(57)【要約】【課題】光学マウスの感知性能を促し、感度を高めることのできる光学マウスを提供する。【解決手段】この光学マウスはケースと光学装置１００を含む。上記光学装置はケースの底部に設けられ、更に光線案内素子２と、上記光線案内素子上に設置される第一回路基板３と、上記光線案内素子上に設置される第一光サンサー４と、上記光線案内素子の一側に設置されると共に、上記第一回路基板に電気的に接続されるＬＥＤ発光素子５と、上記第一回路基板に設置され、第一傾斜面及び第二傾斜面を有する固定座６と、上記第二傾斜面の上に設置される第二回路基板７と、上記第一傾斜面の上に設置されると共に、上記第二回路基板に電気的に接続されるレーザー発光素子８と、上記第二回路基板に電気的に接続される第二光センサー９を含む。これにより、この光学マウスは各種表面上で適用することができる。【選択図】図３
0003118803.tif 000002
【実用新案登録請求の範囲】
【請求項１】
光学マウスの光学装置であって、上記光学マウスの底部ケース上に設置され、上記底部ケースは第一開放口と第二開放口を有し、上記光学装置は、
上記第一開放口の上に設置される光線案内素子と、
第三開放口及び第四開放口を有し、上記第三開放口が上記光線案内素子に対応され、上記第四開放口が上記第二開放口に対応される第一回路基板と、
上記第三開放口の上に設置される第一光センサーと、
上記光線案内素子の一側に設置され、且つ、上記第一回路基板上に電気的に接続されるＬＥＤ発光素子と、
上記第四開放口の上端に設置され、且つ、第一傾斜面及び第二傾斜面を有し、上記第二傾斜面及び上記第一傾斜面によって鈍角が形成される固定座と、
上記第二傾斜面の上端に設置され、第五開放口を有し、上記第五開放口が上記第二傾斜面に対応される第二回路基板と、
上記第一傾斜面の上端に設置されると共に、上記第二回路基板に電気的に接続されるレーザー発光素子と、
上記第五開放口に設置されると共に、上記第二回路基板に電気的に接続される上記第二光センサーを備え、
上記レーザー発光素子から射出された入射光は上記マウスが移動した経路の平面反射による変調後、上記第二光センサーにより受信されることを特徴とする光学マウスの光学装置。
【請求項２】
上記光線案内素子は更にレンズと光線案内部を含み、上記レンズに対向する側面のそれぞれが上記光センサーと上記第一開放口に対応され、上記光線案内部の一側は上記ＬＥＤ発光素子に対応されることを特徴とする請求項1に記載する光学マウスの光学装置。
【請求項３】
上記鈍角γが１５０°±１°であることを特徴とする請求項1に記載する光学マウスの光学装置。
【請求項４】
上記固定座が一体成形されることを特徴とする請求項１に記載する光学マウスの光学装置。
【請求項５】
上記固定座の内部に腔体が形成され、上記固定座は更に
一側から第一固定部が上へ伸ばされる基部と、
上記基部から上へ突起され、上記第一傾斜面及び第二傾斜面が頂点に形成され、上記第一傾斜面の上には上記腔体に垂直に連通される嵌め込み溝が設けられ、上記第二傾斜面が透明面である突起部と、
上記突起部の頂点に設置され、上記第一固定部と共に上記第二回路基板の両対向端に固定される少なくとも１つの第二固定部とを含むことを特徴とする請求項４に記載する光学マウスの光学装置。
【請求項６】
上記基部の両端の底部それぞれに爪部が設けられることを特徴とする請求項５に記載する光学マウスの光学装置。
【請求項７】
更に上記第一回路基板に電気的に接続される表示ランプを含み、上記表示ランプは上記レーザー発光素子が作動中の状態を表示するのに用いられることを特徴とする請求項１に記載する光学マウスの光学装置。
【請求項８】
光学マウスであって、上部蓋及び底部ケースを含み、且つ、底部ケースに第一開放口及び第二開放口が設置されるケースと、
上記底部ケース上に設置される光学装置とから構成され、
上記光学装置は更に、
上記第一開放口の上に設置される光線案内素子と、
第三開放口及び第四開放口を有し、上記第三開放口が上記光線案内素子に対応され、上記第四開放口が上記第二開放口に対応される第一回路基板と、
上記第三開放口の上に設置される第一光センサーと、
上記光線案内素子の一側に設置され、且つ、上記第一回路基板上に電気的に接続されるＬＥＤ発光素子と、
上記第四開放口の上端に設置され、且つ、第一傾斜面及び第二傾斜面を有し、上記第二傾斜面及び上記第一傾斜面によって鈍角が形成される固定座と、
上記第二傾斜面の上端に設置され、第五開放口を有し、上記第五開放口が上記第二傾斜面に対応される第二回路基板と、
上記第一傾斜面の上端に設置されると共に、上記第二回路基板に電気的に接続されるレーザー発光素子と、
上記第五開放口に設置されると共に、上記第二回路基板に電気的に接続される上記第二光センサーを備え、
上記レーザー発光素子から射出した入射光は上記マウスが移動される経路の平面反射による変調後、上記第二光センサーにより受信されることを特徴とする光学マウス。
【請求項９】
上記光線案内素子は更にレンズと光線案内部を含み、上記レンズに対向する側面のそれぞれは上記光センサーと上記第一開放口に対応され、上記光線案内部の一側は上記ＬＥＤ発光素子に対応されることを特徴とする請求項８に記載する光学マウス。
【請求項１０】
上記鈍角γが１５０°±１°であることを特徴とする請求項８に記載する光学マウス。
【請求項１１】
上記固定座が一体成形されることを特徴とする請求項８に記載する光学マウス。
【請求項１２】
上記固定座の内部に腔体が形成され、上記固定座は更に
一側から第一固定部が上へ伸ばされる基部と、
上記基部から上へ突起され、上記第一傾斜面及び第二傾斜面が頂点に形成され、上記第一傾斜面の上には上記腔体に垂直に連通される嵌め込み溝が設けられ、上記第二傾斜面が透明面である突起部と、
上記突起部の頂点に設置され、上記第一固定部と共に上記回路基板の両対向端に固定される少なくとも一つの第二固定部とを含むことを特徴とする請求項１１に記載する光学マウス。
【請求項１３】
上記基部の両端の底部のそれぞれに爪部が設けられることを特徴とする請求項１２に記載する光学マウス。
【請求項１４】
更に上記第一回路基板に電気的に接続される表示ランプを含み、上記表示ランプは上記レーザー発光素子が作動中の状態を表示するのに用いられることを特徴とする請求項８に記載する光学マウス。
【考案の詳細な説明】
【技術分野】
【０００１】
本考案は光学マウスとその光学装置に関し、上記光学マウスは２組の異なる光源を感知する光学装置を有するものであり、上記光学マウスを様々な表面上で作動させることができる。
【背景技術】
【０００２】
従来技術である光学マウスの技術領域において、その原理は主に光源装置（例えば発光ダイオード）を用いて入射光をテーブル表面かマウスパッドに投射させ、また使用平面上で生じる反射光を吸収することにより表面が有する“むら”やかすかな凹凸を判断することで、光学マウスの作動状態を制御できる。
【０００３】
台湾特許第５０４６３８号で指摘されている従来技術に照らし合わせ、図１に従来の光学マウス中の光学装置の局部分解図を示す。従来の光学マウスの光学装置は開放口１０ａを有する底部ケース１ａと、底部ケース１ａの開放口１０ａに設置されレンズ２０ａと第一反射面２２ａ及び第二反射面２４ａを有す光線案内素子２ａと、上記光線案内素子２ａ上に設けられる回路基板３ａを含む。上記回路基板３ａはレンズ２０ａ上に孔３０ａを有し、光センサー４ａは回路基板３ａの孔３０ａ上に設置される。光センサー４ａは光学マウスが移動した平面の映像を得ることができ、電気回路（図略）により光センサー４ａが得た画面を分析し、光学マウスの変位を決定できる。発光ダイオード５ａは回路基板３ａ上に設置される。発光ダイオード５ａは光センサー４ａの光源のために用いられ、第一反射面２２ａが孔３０ａの外に突き出しているので、第一反射面２２ａをちょうど発光ダイオード５ａと光センサー４ａの間に位置させ、最後に、光カバー６ａも回路基板３ａ上に設置することで、発光ダイオード５ａが発する光線を直接光センサー４ａに入射させるのを避けることができる。
【０００４】
図２に図１中の光学装置の断面図を示す。光線１１ａは発光ダイオード５ａにより発射され、光カバー６ａによって光線１１ａの一部は遮断されるが、大部分の光線１１ａは発光ダイオード５ａが面する方向に直接射出される。発光ダイオード５ａが面する方向が第一反射面２２ａである以上、大部分の光線１１ａは第一反射面２２ａに向かって射出され、かつ第一反射面２２ａにより下に向かって第二反射面２４ａまで反射され、第二反射面２４ａの反射で、光線１１ａが底部ケース１ａの開放口１０ａに到達し、平面１３ａを明るく照らす。平面１３ａに入射する光線１１ａは平面１３ａの表面特性により変調並びに反射され、反射光線１２ａとなる。続いて反射光線１２ａはレンズ２０ａにより直接光センサー４ａ上に焦点が結ばれ、光センサー４ａは反射光線１２ａを用いて連続して平面１３ａの画面を得ることができ、この連続画面を分析することで、上記光学マウスの移動方向と距離を決定づけることができる。
【０００５】
前記発光ダイオード５ａの光信号は放射線状に発した後、第一反射面２２ａと第二反射面２４ａとレンズ２０ａを経てのみ、光センサー４ａに伝達されるので、従って光信号の一部は伝達過程中に消失する。言い換えれば、発光ダイオード５ａが発する光信号は完全に光センサー４ａに伝達されない。光信号が弱い時、光センサー４ａの感度及び解析度は低下し、光学マウスの性能に影響を及ぼす。
【０００６】
また、伝統的な光学マウスを滑らかな表面上で使用する際、通常かなり使いにくく、伝達されたパソコンの光学映像を追って、精確にマウスの移動を位置づけることができない。
【０００７】
このように、前記の伝統的な光学マウスは依然として解決されるべき欠点と改善の方法がある。
【０００８】
従って、本考案者は長年の豊富な実務経験に基づいて、そこで研究並びに学理の応用に合うよう専念し、ついに設計が合理的でかつ従来技術の欠陥の改善に効果がある本考案を示した。
【考案の開示】
【考案が解決しようとする課題】
【０００９】
本考案の主な目的は、光学マウスの光学装置を提供することにあり、上記光学マウスが２組の異なる光源を感知する光学装置を有することで、光学マウスの感知性能を促し、感度を高めることである。
【００１０】
本考案の別の目的は、光学マウスを提供することであり、特に様々な異なる表面上で作動させることができる光学マウスを指す。
【課題を解決するための手段】
【００１１】
前記の目的を達成するために、本考案は光学マウスとその光学装置を提供するものであって、上記光学マウスは、上部蓋及び底部ケースを含み、且つ、底部ケースに第一開放口及び第二開放口が設置されるケースと、上記底部ケース上に設置される光学装置を含む。上記光学装置は、上記第一開放口の上に設置される光線案内素子と、第三開放口及び第四開放口を有し、上記第三開放口が上記光線案内素子に対応され、上記第四開放口が上記第二開放口に対応される第一回路基板と、上記第三開放口の上に設置される第一光センサーと、上記光線案内素子の一側に設置され、且つ、上記第一回路基板上に電気的に接続されるＬＥＤ発光素子と、上記第四開放口の上端に設置され、且つ、第一傾斜面及び第二傾斜面を有し、上記第二傾斜面及び上記第一傾斜面によって鈍角が形成される固定座と、上記第二傾斜面の上端に設置され、第五開放口を有し、上記第五開放口が上記第二傾斜面に対応される第二回路基板と、上記第一傾斜面の上端に設置されると共に、上記第二回路基板に電気的に接続されるレーザー発光素子と、上記第五開放口に設置されると共に、上記第二回路基板に電気的に接続される上記第二光センサーを備え、上記レーザー発光素子から射出された入射光は上記マウスが移動した経路の平面反射による変調後、上記第二光センサーにより受信される。従って、上記光学マウスを様々な表面上に適用させることができる。
【００１２】
本考案の特徴及び技術内容をさらに理解させるために、以下に本考案の詳しい説明と添付図面を示す、しかし添付図面は参考と説明に使用するだけのもので、本考案を制限するものではない。
【考案を実施するための最良の形態】
【００１３】
図３と図４に本考案である光学マウスの最適な実施例の傾斜分解図と傾斜組立図を示す。本考案はケース１と光学装置１００を有する光学マウスを提供するものである。
【００１４】
上記ケース１は上部蓋１１及び底部ケース１２を含む。上記底部ケース１２上に第一開放口１２１及び第二開放口１２２が設置される。
【００１５】
上記光学装置１００は上記底部ケース１２上に設置され、上記光学装置１００は、光線案内素子２と、第一回路基板３と、第一光センサー４と、発光ダイオード素子５と、固定座６と、第二回路基板７と、レーザー発光素子８と、第二光センサー９と表示ランプ１０を含む。
【００１６】
上記光線案内素子２は上記第一開放口１２１上に設置される。上記光線案内素子２はレンズ２０と光線案内部２１を含み、上記レンズ２０に対向する側面のそれぞれが上記光センサー４と上記第一開放口１２１に対応され、上記光線案内部２１の一側は上記ＬＥＤ発光素子５に対応される。
【００１７】
上記第一回路基板３は、第三開放口３１及び第四開放口３２を有し、上記第三開放口３１が上記光線案内素子２に対応され、上記第四開放口３２が上記第二開放口１２２に対応される。
【００１８】
上記第一光センサー４は、上記第三開放口３１上に設置される。
【００１９】
上記ＬＥＤ発光素子５は、上記光線案内素子２の一側に設置され、且つ、上記第一回路基板３上に電気的に接続される。
【００２０】
図６に示すように、上記ＬＥＤ発光素子５が発する光線は上記光線案内素子２の光線案内部２１を通過し上記マウスが移動した経路の平面に入射され、反射変調後、再度上記光線案内素子２のレンズ２０を通過し、その後上記第一光センサー４により吸収される。従って、上記ＬＥＤ発光素子５が入射光をテーブル表面かマウスパッドに投射させ、また使用平面上で生じる反射光を吸収することにより表面が有するむらやかすかな凹凸を判断することで、光学マウスの作動状態を制御することができる。
【００２１】
上記固定座６は上記第四開放口３２上に設置される。上記固定座６は第一傾斜面６１及び第二傾斜面６２を有し、上記第二傾斜面６２及び上記第一傾斜面６１により鈍角γ（図５参照）が形成される。上記鈍角γは１５０°±１°がいちばん望ましい。上記固定座６は一体成形される。上記固定座６の内部に腔体６３が形成される。
【００２２】
上記固定座６は基部６４と、突起部６６及び少なくとも一つの第二固定部６８を含む。また、上記基部６４の一側から第一固定部６５が上へ伸ばされる。上記突起部６６は上記基部６４より上へ突起され、上記第一傾斜面６１及び第二傾斜面６２が上記突起部６６の頂点に形成され、上記第一傾斜面６１上には上記腔体６３に垂直に連通される嵌め込み溝６７が設けられ、上記第二傾斜面６２は透明面であり、上記透明面はマウスが移動した経路の表面から反射する光線を通過させる。上記少なくとも１つの第二固定部６８は上記突起部６６の頂点に設置され、上記第二固定部６８及び第一固定部６５のそれぞれが上記第二回路基板７の両対向端に固定される。また、上記基部６４の両端の底部それぞれに爪部６９が設けられ、爪部６９により、固定座６が第一回路基板３に固定される。
【００２３】
上記第二回路基板７は上記第二傾斜面６２上に設置される。上記第二回路基板７は第五開放口７１を有し、上記第五開放口７１が上記第二傾斜面６２に対応される。上記第二回路基板７上の第二光センサー９は直接マウスが移動した経路の平面反射光線を受け取れるように、上記第五開放口７１と上記第二傾斜面６２は互いに平行である。
【００２４】
図５に示すように、上記レーザー発光素子８は上記第一傾斜面６１上に設置されると共に、上記第二回路基板７に電気的に接続される。上記レーザー発光素子８はあらかじめ設定されている入射角αにより光線が発せられる。この入射角は設計者により決定される。設計者は突出している物体表面特性に応じて入射角度を選択することができ、入射光線を物質表面特性に応じて際立たせたり、また反射光線を物体の表面特性により変調させる程度をさらに大きくし、光学マウスの感度を高めることができる。入射光は光学マウスが移動した表面上を照らし、その後反射角βにより直接上記第二光センサー９に入射される。この光学マウスの光学装置１００はレーザー発光素子８を光源とすることで、光学マウスの物体表面に対する感度を高めることができ、従って、たとえ光学マウスが滑らかな表面を移動しても、精確な変位情報をパソコンに伝達することができる。なお、上記光学マウスが滑らかな表面を移動する際、上記光学装置１００を自動的に或いは手動で上記レーザー発光素子８を光源とするモデルに切り替えることができ、光学マウスの感知性能を上げ、感度を高めることができる。その結果、使用者は様々な異なる表面上で作動させることができる。
【００２５】
上記第二光センサー９は上記第五開放口７１に設置されると共に、上記第二回路基板７に電気的に接続され、上記レーザー発光素子８から射出された入射光は上記マウスが移動した経路の平面反射による変調後、上記第二光センサー９により受信される。これにより、上述したように、上記光学マウスを様々な表面上に適用させることができる。
【００２６】
本考案は更に上記第一回路基板３に電気的に接続される表示ランプ１０を含み、表示ランプ１０は上記レーザー発光素子８が作動中の状態を表示するのに用いられる。
【００２７】
このように、この光学装置１００は精確且つ敏感に移動した様々な表面の映像を感知でき、様々な表面を精確に感知できる。
【００２８】
以上述べたことをまとめれば、本考案はレーザー発光素子８とＬＥＤ発光素子５を同時に有する光学マウスを提供するもので、光学マウスの物体表面に対する感度を高めることができ、従って、たとえ光学マウスが滑らかな表面を移動しても、精確な変位情報をパソコンに伝達することができる。
【００２９】
前記記載は単に本考案の最良の実施例にすぎず、本考案を限定するものではない。本考案の請求範囲を逸脱することなく種々の変更を行うことができるということは言うまでもない。したがって、本考案は添付の請求の範囲によってのみ限定されるものである。
【図面の簡単な説明】
【００３０】
【図１】従来技術に係る光学マウス中の光学装置を示す局部分解図である。
【図２】図１中の光学装置を示す断面図である。
【図３】本考案に係る光学マウスの最適な実施例を示す立体分解図である。
【図４】本考案に係る光学マウスの最適な実施例を示す立体組立図である。
【図５】本考案に係る光学マウスの光学装置の最適な実施例を示す断面図である。
【図６】本考案に係る光学マウスの光学装置の最適な実施例を示す他の断面図である。
【符号の説明】
【００３１】
[従来]
１ａ  底部ケース
１０ａ  開放口
１１ａ  光線
１２ａ  反射光線
１３ａ  平面
２ａ  光線案内素子
２０ａ  レンズ
２２ａ  第一反射面
２４ａ  第二反射面
３ａ  回路基板
３０ａ  孔
４ａ  光センサー
５ａ  発光ダイオード
６ａ  光カバー
[本考案]
１  ケース
１１  上部蓋
１２  底部ケース
１２１  第一開放口
１２２  第二開放口
１００  光学装置
２  光線案内素子
２０  レンズ
２１  光線案内部
３  第一回路基板
３１  第三開放口
３２  第四開放口
４  第一光センサー
５  ＬＥＤ発光素子
６  固定座
６１  第一傾斜面
６２  第二傾斜面
６３  腔体
６４  基部
６５  第一固定部
６６  突起部
６７  嵌め込み溝
６８  第二固定部
６９  爪部
７  第二回路基板
７１  第五開放口
８  レーザー発光素子
９  第二光センサー
１０  表示ランプ
α  入射角
β  反射角
γ  鈍角
【図１】
0003118803.tif 000003
【図２】
0003118803.tif 000004
【図３】
0003118803.tif 000005
【図４】
0003118803.tif 000006
【図５】
0003118803.tif 000007
【図６】
0003118803.tif 000008